(57)【要約】【課題】貯水液中に存在する病原菌の簡易で正確なトラップ方法を提供する。【解決手段】イネ科植物(イネ苗葉、ベントグラス葉など)及びバラ科植物(バラ葉など)の葉をトラップ基質材として使用する。トラップ基質材を、不織布などで作成した袋に入れて水耕栽培における循環養液中や潅水用原水中に一定期間浸漬することにより、貯水液中に存在する病原菌をトラップすることができる。この方法によれば、短期間の浸漬処理で低密度の菌数の液や多種類の病原菌についてもトラップができる。【選択図】  なし【特許請求の範囲】
【請求項１】
水耕栽培における循環養液中や潅水用原水中の病原菌検出方法において、
トラップ基質材としてイネ科植物若しくはバラ科植物の葉を使用することを特徴とする貯水液中の病原菌トラップ方法。
【請求項２】
前記トラップ基質材として、イネ科植物若しくはバラ科植物の何れか一方の葉を複数種類組み合わせたことを特徴とする請求項１に記載の貯水液中の病原菌トラップ方法。
【請求項３】
前記トラップ基質材として、イネ科植物若しくはバラ科植物の双方の葉を複数種類組み合わせたことを特徴とする請求項１に記載の貯水液中の病原菌トラップ方法。
【請求項４】
前記トラップ基質材を貯水液中に一定時間以上浸漬して、病原菌を捕捉分離することを特徴とする請求項１乃至請求項３に記載の貯水液中の病原菌トラップ方法。
【発明の詳細な説明】
【技術分野】
【０００１】
本発明は花き、野菜、果物、等の農作物栽培に用いる貯水液中に存在する病原菌を捕捉分離する（以下トラップという）方法に関するものである。
【背景技術】
【０００２】
近年農作物の養液栽培では、施設の大規模化の進展に伴い、潅水作業の省力化のため養液や原水をタンク内で処理保管して潅水用とする方法が主流となっている。これらの栽培方法において、水伝染性病害の発生が問題となっている。これらの水伝染性病害を未然に防止するためには、貯水液中の病原菌の存在を早期且つ簡易に把握する必要がある。
【０００３】
このため従来は、貯水液中の病原菌の分離するために補足法が用いられていた。捕捉法というのは、実際の貯水液をサンプリングし、寒天培地上に接種培養してコロニー数を測定し菌数及び菌の種類を得る方法、採取した貯水液をメンブレンフィルターで吸引ろ過し、ろ紙を接種培養して菌数及び菌の種類を得る方法、大量の貯水液を遠心分離し濃縮して菌数及び菌の種類を得る方法である。
【０００４】
上記従来行われている補足法では、現地にて採取した貯水液を培養処理できる培養実験設備のある場所に移送しなければならない。このことは、貯水液中に存在する各種有機物が、温度・湿度・時間・振動などの要因で常に変化することを考慮すると、検査時の貯水液が現地で使用されている状態と相違してしまうことを意味する。また、病害の発生は貯水液中に発生した大量の病害菌が原因となるが、大量発生した後の病害菌対策は非常に困難である。このため、病害菌の菌数及び菌の種類の把握は、迅速に行われなければない。
【０００５】
しかしながら、病害の発生早期では貯水液中の病害菌数は非常に少なく、上記従来の補足法を用いるためには、大量の貯水液を採取しなければならない。このため、病原菌濃度が低い環境でも現地において容易にトラップできる方法の確立が望まれている。
【非特許文献１】渡辺  常雄著「植物土壌病害の辞典」                  朝倉書店出版１９９８年7月初版
【発明の開示】
【発明が解決しようとする課題】
【０００６】
解決しようとする問題点は、病原菌濃度が低い環境でも現地において容易に病原菌をトラップできる方法を確立することである。
【課題を解決するための手段】
【０００７】
上記課題を解決するための請求項1に記載の貯水液中の病原菌トラップ方法は、水耕栽培における循環養液中や潅水用原水中の病原菌検出方法において、トラップ基質材としてイネ科植物若しくはバラ科植物の植物の葉を使用することを特徴とする。
【０００８】
請求項２に記載の貯水液中の病原菌トラップ方法は、請求項１に記載の構成において、前記トラップ基質材として、イネ科植物若しくはバラ科植物の何れか一方の葉を複数種類組み合わせたことを特徴とする。
【０００９】
請求項３に記載の貯水液中の病原菌トラップ方法は、請求項１に記載の構成において、前記トラップ基質材として、イネ科植物若しくはバラ科植物の双方の葉を複数種類組み合わせたことを特徴とする。
【００１０】
請求項４に記載の貯水液中の病原菌トラップ方法は、請求項１乃至請求項３に記載の構成において、前記トラップ基質材を貯水液中に一定時間以上浸漬して、病原菌を捕捉分離することを特徴とする。
【発明の効果】
【００１１】
請求項１に記載した貯水液中の病原菌のトラップ方法によれば、トラップ基質材にイネ科植物若しくはバラ科植物等の植物の葉を使用することにより、貯水液中に存在する希薄な病原菌を確実にトラップすることが可能となる。
【００１２】
請求項２に記載した貯水液中の病原菌トラップ方法によれば、トラップ基質材として、イネ科植物若しくはバラ科植物の何れか一方の葉を複数種類組み合わせたから、貯水液中に生息する複数の病原菌を単独または同時にトラップすることが可能となる。
【００１３】
請求項３に記載した貯水液中の病原菌トラップ方法によれば、トラップ基質材として、イネ科植物若しくはバラ科植物の双方の葉を複数種類組み合わせたから、貯水液中に生息する複数の病原菌を単独または同時にトラップすることが可能となる。
【００１４】
請求項４に記載した貯水液中の病原菌トラップ方法によれば、トラップ基質材を貯水液中に一定時間以上浸漬して病原菌を捕捉分離するから、貯水液を大量に採取・持ち帰る必要がなく現地にて簡便にトラップすることが可能となる。
【００１５】
請求項３に記載したた貯水液中の病原菌のトラップ方法によれば、トラップ基質材を変更若しくは複数のトラップ基質材を組み合わせることにより
【発明を実施するための最良の形態】
【００１６】
病原菌濃度が低い環境でも現地において容易にトラップできる方法を確立するという目的を、トラップ基質材にイネ科植物（イネ苗葉、ベントグラス葉など)若しくはバラ科植物（バラ葉など）の植物の葉を使用すること、トラップ基質材を貯水液中に一定時間以上浸漬すること及び前記トラップ基質材を変更若しくは複数のトラップ基質材を組み合わせることにより実現した。
【実施例】
【００１７】
バラ等の根腐れ病菌として代表的なＰｙｔｈｉｕｍ  ｈｅｌｉｃｏｉｄｅｓ菌の遊走子を、８０ｃｆｕ／ｌとなるように懸濁液を調整した。この液中に１２０℃で２０分間高圧滅菌処理したベントグラス葉を封入した滅菌不織不布性袋を投入した。投入後１日、３日及び７日後にベントグラス葉を観察、分離培養した。投入後１日では３％の分離率（分離率とは、貯水液中から病原菌を分離する割合をいう（以下同じ））が得られ、投入後３日では２３％の分離率が得られた。さらに、投入後７日後には１００％の分離率が得られた。
【００１８】
また、トラップ基質材としてバラ葉を用い、バラ栽培施設内の貯水液中に浸漬する役病菌として代表的なＰｈｙｔｏｐｈｔｈｏｒａ  ｍｅｇａｓｐｅｒｍａの遊走子を８０ｃｆｕ／ｌとなるように懸濁液を調整した。この液の中に上記トラップ基質材を浸漬すると投入１日後に１００％の分離率が得られた。
【００１９】
（比較例１）
上記実施例と同様に調整した懸濁液を用いて、１ｍｌの養液を直接寒天培地上に接種し・培養した。サンプル数は１０とした。このときの分離率は１０％であった。
【００２０】
（比較例２）
上記実施例と同様に調整した懸濁液を用いて、０．４５μｍのメンブレンフィルターを用い１００ｃｃ、２００ｃｃ及び３００ｃｃをそれぞれろ過した。その後、ろ紙を寒天培地上に載せて培養した。このときの分離率は、１００ｃｃのもので１５％、２００ｃｃのもので２０％、３００ｃｃのもので５０％であった。
【００２１】
（現地評価）
循環養液管理を行っているミニバラ栽培施設の養液タンク内（養液量５０ｔ）に、実施例と同様のトラップ基質材を設置し、７日後に取り出してベントグラス葉を観察、分離培養した。分離率は３〜７％であった。また、現地のバラ栽培施設の排水口に５０ｌの容器を置き、この中に排液を一時溜めてトラップ基質材を設置し、３日後に取り出して観察、分離培養した。この場合の分離率は１００％であった。
【００２２】
現地で僅かに発病を認めた観賞用キク栽培施設、ポインセチア栽培施設、及びシクラメン栽培施設内の貯水タンク内に、ベントグラス葉のトラップ基質材を設置し、病原菌の分離率を調査した。各調査結果を表１〜表３に示す。
【００２３】
【表１】
2005168342.tif 000002
【００２４】
【表２】
2005168342.tif 000003
【００２５】
【表３】
2005168342.tif 000004
【００２６】
上記表１〜表３に示すように、水耕栽培を行っている現地圃場におけるベントグラス葉のトラップ基質材による分離率は高く、病原菌を確実にトラップすることが可能である。このため、トラップ基質材としてのベントグラス葉は、養液栽培の貯水液中の病原菌トラップ方法として十分活用できる。
【００２７】
尚、上記実施例ではトラップ基質材として、ベントグラス葉とバラ葉を単独で用いたが、両者を組み合わせたものであっても病原菌をトラップすることが期待できる。また、トラップ基質材として他の植物体を単独で用いたり、異なる種類を組み合わせたりすることも十分期待できる。
【手続補正書】
【提出日】平成16年2月4日(2004.2.4)
【手続補正１】
【補正対象書類名】明細書
【補正対象項目名】００１５
【補正方法】削除
【補正の内容】